【手続補正書】
【提出日】令和1年10月23日(2019.10.23)
【手続補正１】
【補正対象書類名】特許請求の範囲
【補正対象項目名】全文
【補正方法】変更
【補正の内容】
【特許請求の範囲】
【請求項１】
測定光による被検眼の眼底の二次元走査であって、第一の方向の走査と前記第一の方向とは異なる第二の方向の走査とを含む二次元走査を繰り返して実行する走査手段と、
前記二次元走査される前記眼底からの前記測定光の反射光に基づいて前記眼底の二次元画像を生成する画像生成手段と、
前記二次元走査において、前記二次元画像の生成を目的とせずに前記眼底に照射される前記測定光の光量を、前記二次元画像の生成を目的として前記眼底に照射される前記測定光の光量よりも小さくするように制御する制御手段と、を備えることを特徴とする眼科装置。
【請求項２】
前記第二の方向における往復走査の速度は、前記第一の方向における往復走査の速度よりも遅いことを特徴とする請求項１に記載の眼科装置。
【請求項３】
前記二次元画像の生成を目的としない前記測定光の照射は、ある回の前記二次元走査の終了位置から次の回の前記二次元走査の開始位置までの間で、前記眼底を横切って前記測定光の照射位置が移動される際の照射を少なくとも含むことを特徴とする請求項１又は２に記載の眼科装置。
【請求項４】
前記走査手段は前記二次元走査における第一の方向において前記測定光を往復走査するＸスキャナと、少なくとも前記第一の方向に垂直な第二の方向において前記Ｘスキャナの往復走査の速度よりも遅い速度で前記測定光を往復走査するＹスキャナと、を有し、
前記二次元画像の生成を目的としない前記測定光の照射は、前記Ｙスキャナによる走査の復路の走査における前記測定光の照射を少なくとも含むことを特徴とする請求項１又は２に記載の眼科装置。
【請求項５】
前記第二の方向における前記Ｘスキャナによる最初の往復走査と最後の往復走査との少なくとも一方において、前記制御手段は、前記二次元画像の生成を目的として前記眼底に照射される前記測定光の光量よりも前記測定光の光量を小さくすることを特徴とする請求項４に記載の眼科装置。
【請求項６】
前記眼底における前記測定光の走査範囲の外で且つ前記二次元走査される領域内に配置されて前記測定光を受光する受光素子を更に備え、
前記受光素子は前記二次元画像を生成する際に用いる、画像歪の補正用の信号を出力することを特徴とする請求項１乃至５の何れか１項に記載の眼科装置。
【請求項７】
前記制御手段は、前記測定光が前記受光素子を照射してから前記二次元走査の開始位置に戻るまでの間、前記測定光の光量を、前記二次元画像の生成を目的として前記眼底に照射される前記測定光の光量よりも小さくするように制御することを特徴とする請求項６に記載の眼科装置。
【請求項８】
被検眼の眼底を測定光により第一の方向の走査と前記第一の方向とは異なる第二の方向の走査とを含む二次元走査であって、前記第二の方向の往復走査の速度は前記第一の方向における往復走査の速度よりも遅い二次元走査を前記眼底で繰り返して実行する走査手段と、
前記二次元走査される前記眼底からの前記測定光の反射光に基づいて前記眼底の二次元画像を生成する画像生成手段と、
前記第二の方向の復路の走査において前記眼底に照射される前記測定光の光量を、前記第二の方向の往路の走査において前記眼底に照射される前記測定光の光量よりも小さくするように制御する制御手段と、を備えることを特徴とする眼科装置。
【請求項９】
前記制御手段は、前記第二の方向の測定光の走査において前記往路の走査から前記復路の走査に切り替わる部分及び前記復路の走査から前記往路の走査に切り替わる部分の少なくとも一方で走査される測定光の光量を、前記往路の走査において前記眼底に照射される測定光の光量よりも小さくするように制御することを特徴とする請求項８に記載の眼科装置。
【請求項１０】
前記制御手段は、前記測定光の光量を小さくする制御において、前記測定光を発する光源を制御して前記測定光の消光或いは減光を行わせることを特徴とする請求項１乃至９の何れか１項に記載の眼科装置。
【請求項１１】
前記制御手段は、前記測定光の光量を小さくする制御において、前記測定光の遮光或いは減光を行うシャッターの前記測定光の光路への挿脱を行うことを特徴とする請求項１乃至９の何れか１項に記載の眼科装置。
【請求項１２】
固視光を発生させる固視灯を更に備え、
前記走査手段を介して前記固視光が前記被検眼の眼底に照射されるように構成され、
前記制御手段は、前記走査手段による走査に連動するように前記固視灯を点灯制御し、
前記制御手段は、前記眼底に前記測定光が照射されない制御を実行することにより、前記眼底に照射される前記測定光の光量を小さくするように制御することを特徴とする請求項１乃至１１の何れか１項に記載の眼科装置。
【請求項１３】
前記走査手段は、前記測定光を前記第一の方向に走査するための共振型スキャナと、前記測定光を前記第二の方向に走査するためのガルバノスキャナとを含むことを特徴とする請求項１乃至１２の何れか１項に記載の眼科装置。
【請求項１４】
前記被検眼の前眼部の画像を取得するための前眼部観察光学系と、
前記走査手段が配置される光路から前記前眼部観察光学系の光路を分岐させる分岐手段と、を更に備えることを特徴とする請求項１乃至１３の何れか１項に記載の眼科装置。
【請求項１５】
前記二次元走査が繰り返し実行されることにより得た前記反射光に基づいて繰り返し生成された前記二次元画像をプレビュー画像として表示手段に表示させる表示制御手段を更に備えることを特徴とする請求項１乃至１４の何れか１項に記載の眼科装置。
【請求項１６】
測定光による被検眼の眼底の二次元走査であって、第一の方向の走査と前記第一の方向とは異なる第二の方向の走査とを含む二次元走査を走査手段により繰り返して実行する工程と、
前記二次元走査される前記眼底からの前記測定光の反射光に基づいて前記眼底の二次元画像を生成する工程と、
前記二次元走査において、前記二次元画像の生成を目的とせずに前記眼底に照射される前記測定光の光量を、前記二次元画像の生成を目的として前記眼底に照射される前記測定光の光量よりも小さくするように制御する工程と、を含むことを特徴とする眼科装置の制御方法。
【請求項１７】
被検眼の眼底を測定光により第一の方向の走査と前記第一の方向とは異なる第二の方向の走査とを含む二次元走査であって、前記第二の方向の往復走査の速度は前記第一の方向における往復走査の速度よりも遅い二次元走査を、走査手段により前記眼底で繰り返して実行する工程と、
前記二次元走査される前記眼底からの前記測定光の反射光に基づいて前記眼底の二次元画像を生成する工程と、
前記第二の方向の復路の走査において前記眼底に照射される前記測定光の光量を、前記第二の方向の往路の走査において前記眼底に照射される前記測定光の光量よりも小さくするように制御する工程と、を含むことを特徴とする眼科装置の制御方法。
【請求項１８】
請求項１６又は１７に記載の眼科装置の制御方法の各工程をコンピュータに実行させることを特徴とするプログラム。
【手続補正２】
【補正対象書類名】明細書
【補正対象項目名】０００８
【補正方法】変更
【補正の内容】
【０００８】
上記目的を達成するため、本発明の一態様に係る眼科装置は、
測定光による被検眼の眼底の二次元走査であって、第一の方向の走査と前記第一の方向とは異なる第二の方向の走査とを含む二次元走査を繰り返して実行する走査手段と、
前記二次元走査される前記眼底からの前記測定光の反射光に基づいて前記眼底の二次元画像を生成する画像生成手段と、
前記二次元走査において、前記二次元画像の生成を目的とせずに前記眼底に照射される前記測定光の光量を、前記二次元画像の生成を目的として前記眼底に照射される前記測定光の光量よりも小さくするように制御する制御手段と、を備えることを特徴とする。